(57)【特許請求の範囲】
【請求項１】
表示パネルと、
前記表示パネルの表示面側に配され、２次元表示と３次元表示とを切り替え可能なスイッチング液晶パネルと、
前記表示パネルの表示面側に配されたタッチパネルと、を備え、
前記タッチパネル及び前記スイッチング液晶パネルは、一枚の共通基板を共有することで一体部品として形成され、
前記共通基板には、タッチパネル用透明電極と、前記スイッチング液晶パネルの液晶に電圧を印加するためのスイッチング液晶パネル用透明電極とが形成され、
前記タッチパネル用透明電極は、
一方向に延びる第１のタッチパネル用透明電極と、
前記第１のタッチパネル用透明電極と交差する方向に延びる第２のタッチパネル用透明電極と、を備え、
前記スイッチング液晶パネル用透明電極は、
前記第１のタッチパネル用透明電極と同一方向に延びる第１のスイッチング液晶パネル用透明電極と、
前記第２のタッチパネル用透明電極と同一方向に延びる第２のスイッチング液晶パネル用透明電極と、を備えており、
前記第１のタッチパネル用透明電極及び前記第１のスイッチング液晶パネル用透明電極は、前記共通基板において前記表示パネル側に形成された同一の電極よりなる共通電極にて構成されていることを特徴とする表示装置。
【請求項２】
前記第２のタッチパネル用透明電極は、前記共通基板において、前記共通電極よりも、前記表示パネルとは反対側となる位置に配されていることを特徴とする請求項１に記載の表示装置。
【請求項３】
前記タッチパネル用透明電極は、前記共通基板において、前記表示パネルとは反対側に形成され、
前記スイッチング液晶パネル用透明電極は、前記共通基板において、前記表示パネル側に形成されていることを特徴とする請求項１に記載の表示装置。
【請求項４】
前記表示パネルが液晶を用いた液晶表示パネルであることを特徴とする請求項１ないし請求項３のいずれか一項に記載の表示装置。
【発明の詳細な説明】
【技術分野】
【０００１】
本発明は、表示装置に関する。
【背景技術】
【０００２】
携帯電話やＰＤＡなどの携帯用の端末装置、コンピュータやテレビなどの電子機器には、液晶パネルなどの表示パネルを備えた表示装置が用いられている。このような表示装置において、左右両眼の見え方の相違、いわゆる両眼視差から立体像を感知する人間の目の特性を利用した「パララックスバリア（視差バリア）方式」と称される立体映像を表示する機能を備えたものが知られている。このような立体映像を表示する機能を備えた表示装置の一例としては、下記特許文献１に記載されたものが知られている。
【先行技術文献】
【特許文献】
【０００３】
【特許文献１】特開２００４−２７２３５４号公報
【０００４】
（発明が解決しようとする課題）
上記特許文献１の表示装置は、タッチパネルを備えるとともに、液晶パネルなどの表示パネルと、スイッチング液晶（視差バリア）を備えている。表示パネルには、右目用画素と左目用画素がそれぞれ表示され、スイッチング液晶に形成されたスリットを介して、観察者の右目で右目用画素を、左目で左目用画素を観察可能とする構成となっている。これにより、観察者は、両眼視差効果による立体映像を観察することができる。【０００５】
上記構成のように、立体映像を表示する表示装置においては、二次元の映像のみを表示可能な表示装置に比べて構成部品が増加し、全体の厚さや重さが増加する。さらに、タッチパネルなどの入力装置を備えている場合、さらに厚さや重さが増加してしまう。
【発明の概要】
【０００６】
本発明は上記のような事情に基づいて完成されたものであって、タッチパネル及び立体映像を表示する機能を備えつつも、薄型化及び軽量化を実現可能な表示装置を提供することを目的とする。
【０００７】
（課題を解決するための手段）
上記課題を解決するために、本発明の表示装置は、表示パネルと、前記表示パネルの表示面側に配されたタッチパネルと、３次元表示を可能とする視差バリアと、を備え、前記表示パネル、前記タッチパネル、前記視差バリアのうち、少なくとも２つは一体部品として構成されていることに特徴を有する。
【０００８】
本発明によると、表示パネル、タッチパネル、視差バリアのうち、少なくとも２つを一体部品として構成することで、表示装置の薄型化及び軽量化を図ることができる。
【０００９】
上記課題を解決するために、本発明の表示装置は、表示パネルと、前記表示パネルの表示面側に配され、２次元表示と３次元表示とを切り替え可能なスイッチング液晶パネルと、前記表示パネルの表示面側に配されたタッチパネルと、を備え、前記タッチパネル及び前記スイッチング液晶パネルは、一枚の共通基板を共有することで一体部品として形成され、前記共通基板には、タッチパネル用透明電極と、前記スイッチング液晶パネルの液晶に電圧を印加するためのスイッチング液晶パネル用透明電極とが形成されていることに特徴を有する。
【００１０】
タッチパネル及びスイッチング液晶パネルを、一枚の共通基板を共有することで一体部品として形成すれば、表示装置の薄型化及び軽量化を図ることができる。
【００１１】
上記構成において、前記タッチパネル用透明電極は、一方向に延びる第１のタッチパネル用透明電極と、前記第１のタッチパネル用透明電極と交差する方向に延びる第２のタッチパネル用透明電極と、を備え、前記スイッチング液晶パネル用透明電極は、前記第１のタッチパネル用透明電極と同一方向に延びる第１のスイッチング液晶パネル用透明電極と、前記第２のタッチパネル用透明電極と同一方向に延びる第２のスイッチング液晶パネル用透明電極と、を備えており、前記第１のタッチパネル用透明電極及び前記第１のスイッチング液晶パネル用透明電極は、前記共通基板において前記表示パネル側に形成された同一の電極よりなる共通電極にて構成されているものとすることができる。
【００１２】
このように、第１のタッチパネル用透明電極と第１のスイッチング液晶パネル用透明電極とを同一の共通電極により構成することで、薄型化及び軽量化を図ることができる。
【００１３】
また、前記第２のタッチパネル用透明電極は、前記共通基板において、前記共通電極よりも、前記表示パネルとは反対側となる位置に配されているものとすることができる。
【００１４】
また、前記タッチパネル用透明電極は、前記共通基板において、前記表示パネルとは反対側に形成され、前記スイッチング液晶パネル用透明電極は、前記共通基板において、前記表示パネル側に形成されているものとすることができる。
【００１５】
また、前記表示パネルとして液晶を用いた液晶表示パネルを例示することができる。このような表示装置は液晶表示装置として、種々の用途、例えば携帯電話、スマートフォン、携帯型ゲーム機、ノートパソコン、テレビやパソコンのデスクトップ画面等に適用でき、各種サイズの表示画面用として好適である。
【００１６】
（発明の効果）
本発明によれば、タッチパネル及び立体映像を表示する機能を備えつつも、薄型化及び軽量化を実現可能な表示装置を提供することが可能となる。
【図面の簡単な説明】
【００１７】
【図１】本発明の実施形態１に係る表示装置の概略構成を示す断面図。
【図２】図１の表示装置が備える共通電極を模式的に示す平面図。
【図３】図１の表示装置が備える第２のスイッチング液晶パネル用透明電極を模式的に示す平面図。
【図４Ａ】共通電極に印加されるパルス信号の波形を示す図。
【図４Ｂ】共通電極に印加されるパルス信号の波形を示す図。
【図５】本発明の実施形態２に係る表示装置の概略構成を示す断面図。
【図６】本発明の実施形態３に係る表示装置の概略構成を示す断面図。
【図７】本発明の実施形態４に係る表示装置の概略構成を示す断面図。
【図８】他の実施形態に係る共通電極を模式的に示す平面図。
【図９】他の実施形態に係る第２のスイッチング液晶パネル用透明電極を模式的に示す平面図。
【図１０】第２のタッチパネル用電極を模式的に示す平面図。
【発明を実施するための形態】
【００１８】
＜実施形態１＞
本発明の実施形態１を図１ないし図４によって説明する。本実施形態では、液晶表示装置１０（表示装置）について例示する。液晶表示装置１０は、例えば、携帯型情報端末、携帯電話、ノートパソコン、携帯型ゲーム機などの各種電子機器（図示せず）の情報表示素子として用いられる。なお、各図面の一部にはＸ軸、Ｙ軸及びＺ軸を示しており、液晶表示装置１０の長辺方向をＸ軸方向、短辺方向をＹ軸方向としている。また、図１における上下方向をＺ軸方向（表裏方向、画面に垂直な方向）としており、同図上側を表側とするとともに同図下側を裏側とする。
【００１９】
液晶表示装置１０は、全体として平面視矩形状（又は方形状）をなし、図１に示すように、バックライト装置１１、液晶表示パネル２０（表示パネル）、スイッチング液晶パネル３０（視差バリア）、タッチパネル５０を主体に構成されている。その積層構成として、バックライト装置１１に近い側から、液晶表示パネル２０、スイッチング液晶パネル３０、タッチパネル５０の順に積層されている。つまり、タッチパネル５０及びスイッチング液晶パネル３０は、液晶表示パネル２０の表示面側に配されている。また、液晶表示パネル２０、スイッチング液晶パネル３０、タッチパネル５０は例えばフレキシブル基板（図示せず）を介して制御回路基板（図示せず）とそれぞれ電気的に接続されている。
【００２０】
バックライト装置１１は、表側（液晶表示パネル２０側）に向けて開口した略箱形をなすシャーシ内に光源（例えば冷陰極管やＬＥＤなど（図示せず））が収容されたもので、液晶表示パネル２０側に光を出射する機能を担っている。また、バックライト装置１１は、シャーシの開口部を覆う形で配された光学部材（図示せず）を備える。この光学部材は、光源から発せられる光を面状に変換するなどの機能を有するものである。
【００２１】
液晶表示パネル２０は、一対の透明な（透光性を有する）ガラス製の基板２１，２２と、両基板２１，２２間に介在し、電界印加に伴って光学特性が変化する液晶分子を含む液晶層（図示せず）とを備えている。両基板２１，２２は液晶層の厚さ分のギャップを維持した状態で図示しないシール剤によって貼り合わされている。
【００２２】
両基板２１，２２のうち表側（図１における上側）がＣＦ基板２１とされ、裏側（背面側）がＴＦＴ基板２２（素子基板）とされる。ＴＦＴ基板２２における内面側（液晶層側、ＣＦ基板２１との対向面側）には、ＴＦＴ（Thin Film Transistor、薄膜トランジスタ）及び画素電極が多数個並んで設けられる（図示せず）。ＴＦＴは、液晶を画素毎に駆動するためのスイッチング素子である。これらＴＦＴ及び画素電極の周りには、格子状をなすゲート配線及びソース配線が取り囲むようにして配設されている。ゲート配線とソース配線とがそれぞれＴＦＴのゲート電極とソース電極とに接続され、画素電極がＴＦＴのドレイン電極に接続されている。この画素電極は、ＩＴＯ（Indium Tin Oxide）或いはＩＺＯ（Indium Zinc Oxide）等の透明電極からなる。
【００２３】
一方、ＣＦ基板２１には、Ｒ（赤色），Ｇ（緑色），Ｂ（青色）等の各着色部が各画素に対応した配列で配置されたカラーフィルタが設けられている。カラーフィルタをなす各着色部間には、光漏れによるコントラスト比低下を防ぐための遮光層（ブラックマトリクス）が形成されている。カラーフィルタ及び遮光層の表面には、ＴＦＴ基板２２側の画素電極と対向する対向電極が設けられている。図５に示すように、対向電極は、例えば、ＴＦＴ基板に対して導電部材（例えば、導電性を有するカーボンペースト）によって電気的に接続されている。また、両基板２１，２２の内面側には、液晶層に含まれる液晶分子を配向させるための配向膜がそれぞれ形成されている。なお、両基板２１，２２の外面側には、それぞれ図示しない偏光板が配されている。
【００２４】
このような液晶表示パネル２０の表側（図１における上側）には、スイッチング液晶パネル３０とタッチパネル５０とが各々一体となって配されている。
【００２５】
スイッチング液晶パネル３０は、液晶表示パネル２０と隣接して配され、２次元表示と３次元表示とを切り替え可能とするものである。スイッチング液晶パネル３０は、透明な（透光性を有する）ガラス製の基板３１，３２と、基板３１，３２間に介在する液晶層（図示せず）、当該液晶層の外側に配される偏光板を備えている。なお、両基板３１，３２のうち、液晶表示パネル２０から遠い側の基板３２は、タッチパネル５０を構成する基板でもあり、すなわちスイッチング液晶パネル３０とタッチパネル５０に共通に用いられる基板であって、以下の説明では、共通基板３２と呼ぶ場合もある。
【００２６】
スイッチング液晶パネル３０は、基板３１，３２間に介在する液晶層に電圧を印加するためのスイッチング液晶パネル用透明電極３３を備えている。本実施形態では、スイッチング液晶パネル用透明電極３３は、延設方向の異なる２種類のスイッチング液晶パネル用透明電極３４、３５を備えている。
【００２７】
スイッチング液晶パネル用透明電極３４，３５のうちタッチパネル５０側に配される第１のスイッチング液晶パネル用透明電極３４は、図２に示すように、Ｙ軸方向（液晶表示装置１０の一辺方向）に沿って延びる形状をなしている。具体的には、第１のスイッチング液晶パネル用透明電極３４は、櫛形状をなす一対の電極３４Ａ、３４ＢがＸ軸方向に複数個配列されてなる。一対の電極３４Ａ、３４Ｂは、一方の電極３４Ａの延設部３４Ａ１（Ｙ軸方向に延びる形状）間に他方の電極３４Ｂの延設部３４Ｂ１（Ｙ軸方向に延びる形状）が配される形で形成されている。なお、第１のスイッチング液晶パネル用透明電極３４は、後述するタッチパネル５０の透明電極の一部を構成するものでもある。すなわち、第１のスイッチング液晶パネル用透明電極３４は、スイッチング液晶パネル３０とタッチパネル５０に共通に用いられる電極であって、以下の説明では、共通電極３４と呼ぶ場合もある。
【００２８】
一方、液晶表示パネル２０側に配される第２のスイッチング液晶パネル用透明電極３５は、図３に示すように、Ｘ軸方向に沿って延びる形状をなしている。具体的には、スイッチング液晶パネル用透明電極３５は、櫛形状をなす一対の電極３５Ａ、３５ＢがＸ軸方向に複数個配列されてなる。一対の電極３５Ａ、３５Ｂは、一方の電極３５Ａの延設部３５Ａ１（Ｘ軸方向に延びる形状）間に他方の電極３５Ｂの延設部３５Ｂ１（Ｘ軸方向に延びる形状）が配される形で形成されている。なお、図３では一対の電極３５Ａ、３５Ｂの一部だけを図示している。
【００２９】
第１のスイッチング液晶パネル用透明電極３４を構成する一対の電極３４Ａ、３４Ｂのうちの一方、例えば電極３４Ａに電圧を印加（電極３４Ｂおよび第２のスイッチング液晶パネル用透明電極３５Ａ、３５Ｂは接地）すると、スイッチング液晶パネル３０は、電極３４Ａの延設部３４Ａ１に対応する箇所においてのみ、光（バックライト装置１１から液晶表示パネル２０を経由した光）を透過可能とする構成となっている。これにより、例えば液晶表示パネル２０のうちの特定の画素群の表示を右目に、他の画素群の表示を左目において視認することが可能となり、つまりスイッチング液晶パネル３０を視差バリアとして機能させることができ、３次元表示が可能となる。
【００３０】
また、スイッチング液晶パネル用透明電極３５を構成する一対の電極３５Ａ、３５Ｂのうちの一方、例えば電極３５Ａに電圧を印加（電極３５Ｂおよび第１のスイッチング液晶パネル用透明電極３４Ａ、３４Ｂは接地）すると、スイッチング液晶パネル３０は、電極３５Ａの延設部３５Ａ１に対応する箇所（光透過部）においてのみ、光（バックライト装置１１から液晶表示パネル２０を経由した光）を透過可能とする構成となっている。これにより、液晶表示パネル２０のうちの特定の画素群の表示を右目に、他の画素群の表示を左目において視認することが可能となり、つまりスイッチング液晶パネル３０を視差バリアとして機能させることができ、３次元表示が可能となる。
【００３１】
このように本実施形態においては、延びる方向の異なる２種類の第１のスイッチング液晶パネル用透明電極３４、３５を備えることで、液晶表示装置１０の長辺方向と短辺方向の視差バリアを形成することができ、画面縦置き、画面横置きの２つの状態において、それぞれ３次元表示をすることが可能となっている。具体的には、電極３４Ａ、３５Ａ，３５Ｂに電圧を印加した場合は、Ｙ軸方向を（液晶表示装置１０の使用者に対して）縦向きとした状態で３次元表示が可能となり、電極３５Ａ，３４Ａ，３４Ｂに電圧を印加した場合は、Ｘ軸方向を縦向きとした状態で３次元表示が可能となる。
【００３２】
なお、液晶表示パネル２０には、右目用画素と左目用画素がそれぞれ表示可能とされ、スイッチング液晶パネル３０に形成された光透過部を介して、液晶表示装置１０の使用者の右目で右目用画素を、左目で左目用画素を観察可能とする構成となっている。また、第１のスイッチング液晶パネル用透明電極３４及びスイッチング液晶パネル用透明電極３５の双方に電圧を印加することで、スイッチング液晶パネル３０のほぼ全面が光透過部となり、２次元表示を行うことが可能である。なお、本実施形態では、スイッチング液晶のモードとして電圧を印加しない場合には光が透過しないノーマリーブラックモードを使用したが、電圧を印加しない場合に光が透過するノーマリーホワイトモードを使用してもよい。
【００３３】
タッチパネル５０は、前述した共通基板３２の表裏両面にタッチパネル用透明電極５１が形成されることで構成されている。具体的には、タッチパネル用透明電極５１は、Ｙ軸方向に沿って延びる共通電極３４（第１のタッチパネル用透明電極）と、Ｘ軸方向（第１のタッチパネル用透明電極と交差する方向）に沿って延びる第２のタッチパネル用透明電極５２（図１０も参照）とを備えている。なお、第２のタッチパネル用透明電極５２は、共通基板３２の表側に形成され、共通電極３４は、共通基板３２の裏側に形成されている。言い換えると、第２のタッチパネル用透明電極５２は、共通基板３２において、共通電極３２よりも、液晶表示パネル２０とは反対側となる位置に配されている。
【００３４】
タッチパネル５０は、指等でその表面を指し示すことで生じる共通電極３４と第２のタッチパネル用透明電極５２との間の静電容量の変化からデータ（例えば、タッチパネル５０上における座標データ）の入力等を行う構成となっている。なお、本実施形態におけるタッチパネル５０は、相互容量検出方式（Mutual capacitance Sensing）のものであって、例えば、第１のタッチパネル用透明電極３４（例えば共通電極３４Ａ、３４Ｂを一組とみなす。）に順次パルス電圧を印加した際に、他方の電極（第２のタッチパネル用透明電極５２）に誘起される電荷を測定することで静電容量の変化を検出する方式のものである。
【００３５】
本実施形態においては、タッチパネル５０とスイッチング液晶パネル３０において、共通基板３２を共有する構成となっている。また、タッチパネル５０とスイッチング液晶パネル３０とが共にＹ軸方向に延びる透明電極を必要とする点に着目し、両パネル３０，５０におけるＹ軸方向に延びる透明電極を同一の電極（共通電極３４）として共有する構成とした。
【００３６】
なお、本実施形態の共通電極３４においては、隣接する各延設部３４Ａ１のピッチ（つまり、スイッチング液晶パネル３０において形成し得る遮光バリアの最小ピッチ）は２００μｍで設定されている。これに対して、タッチパネル５０の透明電極として用いる場合は、例えば、２５本の延設部３４Ａ１を１セットとして用いている。つまり、タッチパネル５０のＸ軸方向における分解能は５ｍｍと設定されている。なお、延設部３４Ａ１の１セットの本数は適宜変更可能であり、各延設部３４Ａ１のピッチも適宜変更可能である。
【００３７】
図４Ａ，図４Ｂは、共通電極３４に印加されるタッチパネル５０駆動用のパルス信号と、スイッチング液晶パネル３０駆動用のパルス信号の波形を示す図である。図４Ａ，４Ｂにおける横軸は時間、縦軸は電圧を示す。なお、図４Ａは、電極３４Ａに印加される電圧を示し、図４Ｂは、電極３４Ｂに印加される電圧を示す。図４に示すように、タッチパネル５０駆動用のパルス信号（記号ＶＳＷで示す）の周波数（例えば、数十〜数百ＫＨｚ）は、スイッチング液晶パネル３０駆動用のパルス信号（記号ＶＴＰで示す）の周波数（例えば、６０Ｈｚ）よりも十分に高く設定されている。これにより、共通電極３４を共有の電極としつつも、タッチパネル５０及びスイッチング液晶パネル３０の駆動電圧が、互いの駆動に影響を与える事態を抑制可能となっている。
【００３８】
また、スイッチング液晶パネル３０駆動用のパルス信号ＶＴＰの電圧（例えば５Ｖ）は、タッチパネル５０駆動用のパルス信号ＶＳＷの電圧（例えば３Ｖ）よりも高く設定されており、これによっても、タッチパネル５０の駆動がスイッチング液晶パネル３０の駆動に影響を与える事態を抑制可能となっている。
【００３９】
以上、説明したように、本実施形態の液晶表示装置１０は、液晶表示パネル２０と、液晶表示パネル２０の表示面側に配されたタッチパネル５０と、３次元表示を可能とするスイッチング液晶パネル３０と、を備え、タッチパネル５０及びスイッチング液晶パネル３０は、一枚の共通基板３２を共有することで、一体部品として形成され、共通基板３２には、タッチパネル用透明電極５１と、スイッチング液晶パネル３０の液晶に電圧を印加するためのスイッチング液晶パネル用透明電極（共通電極３４）とが形成されている。
【００４０】
このように、タッチパネル５０及びスイッチング液晶パネル３０を一体部品として構成することで、薄型化及び軽量化が図られている。
【００４１】
また、タッチパネル用透明電極５１は、Ｙ軸方向に沿って延びる第１のタッチパネル用透明電極と、Ｘ軸方向に沿って延びる第２のタッチパネル用透明電極５２と、を備え、スイッチング液晶パネル用透明電極３３は、第１のタッチパネル用透明電極と同一方向に沿って延びる第１のスイッチング液晶パネル用透明電極と、第２のタッチパネル用透明電極５２と同一方向に沿って延びる第２のスイッチング液晶パネル用透明電極３５と、を備えており、第１のタッチパネル用透明電極及び前記第１のスイッチング液晶パネル用透明電極は、共通基板３２において液晶表示パネル２０側に形成された同一の電極よりなる共通電極３４にて構成されている。
【００４２】
このように、第１のタッチパネル用透明電極と第１のスイッチング液晶パネル用透明電極とを同一の共通電極３４によって構成することで、液晶表示装置１０の薄型化及び軽量化が図られている。
【００４３】
＜実施形態２＞
次に、本発明の実施形態２を図５によって説明する。本実施形態の液晶表示装置１１０においては、第２のタッチパネル用透明電極５２の形成箇所が上記実施形態１とは異なる。本実施形態においては、第２のタッチパネル用透明電極５２が、共通基板３２の液晶表示パネル２０側に形成されており、具体的には、共通電極３４と共通基板３２との間に配されている。なお、共通電極３４と第２のタッチパネル用透明電極５２との間には、絶縁層１０１が形成されている。
【００４４】
このような構成としても、タッチパネル５０及びスイッチング液晶パネル３０を一体部品として構成することができ、液晶表示装置１１０の薄型化及び軽量化を図ることができる。
【００４５】
＜実施形態３＞
次に、本発明の実施形態３を図６によって説明する。本実施形態の液晶表示装置２１０においては、共通電極３４を備えず、第１のタッチパネル用透明電極２５２と、第１のスイッチング液晶パネル用透明電極２３５をそれぞれ別部材としている。また、タッチパネル用透明電極５１は共通基板３２において、液晶表示パネル２０とは反対側（表側）に形成され、スイッチング液晶パネル用透明電極３３は、共通基板３２において、液晶表示パネル２０側に形成されている。
【００４６】
このような構成としても、タッチパネル５０及びスイッチング液晶パネル３０を、一枚の共通基板３２を共有することで、一体部品として形成することができ、液晶表示装置２１０の薄型化及び軽量化を図ることができる。
【００４７】
＜実施形態４＞
次に、本発明の実施形態４を図７によって説明する。本実施形態の液晶表示装置３１０においては、バックライト装置１１に近い側から、スイッチング液晶パネル３０、液晶表示パネル２０、タッチパネル５０の順に積層されている。本実施形態においては、タッチパネル５０及び液晶表示パネル２０を、一枚の共通基板（ＣＦ基板２１）を共有することで、一体部品として形成する構成となっており、このような構成としても、液晶表示装置３１０の薄型化及び軽量化を図ることができる。
【００４８】
＜他の実施形態＞
本発明は上記記述及び図面によって説明した実施形態に限定されるものではなく、例えば次のような実施形態も本発明の技術的範囲に含まれる。
【００４９】
（１）上記実施形態においては、タッチパネル５０として相互容量検出方式のものを例示したが、タッチパネル５０の位置検出方式は、これに限定されない。例えば、タッチパネル５０の位置検出方式としては、タッチパネル５０のセンサ電極の静電容量を直接測定する方式（自己容量検出方式）のものなどを用いてもよい。また、タッチパネル５０のタッチパネル用透明電極の形状も、上記実施形態のような形状（Ｘ軸、Ｙ軸に延びる各透明電極を格子状に重ね合わせた形状）に限定されず、例えば、共通電極３４を備えていない上記実施形態３などにおいては、透明電極を菱形のパターン（いわゆるダイヤモンドパターン）をなす形状としてもよい。
【００５０】
（２）共通電極３４や、スイッチング液晶パネル用透明電極３５における電源が接続される端子部（３４Ｄ、３５Ｄ）の引き出し方向及び、引出位置は、上記実施形態で例示したものに限定されず適宜変更可能である。例えば、図８及び図９に示すように、両端子部１３４Ｄ（又は１３５Ｄ）の引き出し位置を一方に寄せる形で、電極３４、３５を形成してもよい。
【００５１】
（３）上記実施形態にでは、タッチパネル及びスイッチング液晶パネルにおいて、Ｘ軸方向に延びる透明電極を共通電極３４としたが、これに限定されない。例えば、タッチパネル及びスイッチング液晶パネルにおいて、Ｙ軸方向に延びる透明電極を共通電極としてもよい。
【００５２】
（４）第２のタッチパネル用透明電極５２と共通電極３４とが直交している構成を例示したが、これに限定されない。第２のタッチパネル用透明電極５２と共通電極３４とは交差していればよい。
【００５３】
（５）第２のタッチパネル用透明電極５２と第２のスイッチング液晶パネル用透明電極３５とが同一方向（Ｘ軸方向）に沿って延びる構成を例示したが、これに限定されない。両透明電極５２，３５は異なる方向に沿って延びていてもよい。
【００５４】
（６）上記各実施形態では、表示パネルとして液晶パネルを用いた液晶表示装置を例示したが、他の種類の表示パネルを用いた表示装置にも本発明は適用可能である。
【００５５】
（７）上記各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【符号の説明】
【００５６】
１０，１１０，２１０，３１０…液晶表示装置（表示装置）、２０…液晶表示パネル（表示パネル）、３０…スイッチング液晶パネル（視差バリア）、３２…共通基板、３３…スイッチング液晶パネル用透明電極、３４…共通電極（第１のタッチパネル用透明電極、第１のスイッチング液晶パネル用透明電極）、３５…第２のスイッチング液晶パネル用透明電極、５０…タッチパネル、５１…タッチパネル用透明電極、５２…第２のタッチパネル用透明電極
【図１】
0005383903.tif 000002
【図２】
0005383903.tif 000003
【図３】
0005383903.tif 000004
【図４Ａ】
0005383903.tif 000005
【図４Ｂ】
0005383903.tif 000006
【図５】
0005383903.tif 000007
【図６】
0005383903.tif 000008
【図７】
0005383903.tif 000009
【図８】
0005383903.tif 000010
【図９】
0005383903.tif 000011
【図１０】
0005383903.tif 000012